(57)【要約】【課題】アイテムの仕分けを簡素かつ容易に実行することを可能にする情報処理装置及びその制御方法等を提供する。【解決手段】仕分け対象アイテムのドラッグ方向及びドラッグ距離を取得する（ステップＳ１０５）。仕分け対象アイテムのドラッグに要した時間を取得する（ステップＳ１０６）。ドラッグに要した時間が閾値よりも小さいか判別する（ステップＳ１０７）。ドラッグに要した時間が閾値よりも小さい場合、ドロップされた点が仕分け元領域外であるか判別する（ステップＳ１０８）。ドロップされた点が仕分け元領域外である場合、ドラッグに要した時間に応じて、仕分け対象アイテムをドロップが行われた位置よりも遠方へ移動させる（ステップＳ１０９）。つまり、仕分け対象アイテムをはじくような処理が行われる。一方、これら以外の場合には、仕分け対象アイテムをドロップが行われた位置へ移動させる（ステップＳ１１０）。【選択図】図３
2009151638.tif 000002
【特許請求の範囲】
【請求項１】
表示装置に、複数のアイテム及びこれらの仕分け先となる仕分け先領域を表示させる表示制御手段と、
前記アイテムのいずれかがドラッグされた場合に、その距離及び時間に応じて当該アイテムの前記表示装置の画面内での移動地点を決定する決定手段と、
前記決定手段により決定された移動地点まで当該アイテムを移動させる移動手段と、
を有することを特徴とする情報処理装置。
【請求項２】
前記決定手段は、前記アイテムのドラッグの距離が所定値を超え、かつ前記時間が所定値未満である場合に、前記ドラッグの方向と同じ方向で前記ドラッグの距離よりも長い距離の地点を前記移動地点と決定することを特徴とする請求項１に記載の情報処理装置。
【請求項３】
前記決定手段は、前記アイテムのドラッグの距離が所定値以下であるか、又は前記時間が所定値以上である場合に、前記ドラッグが終了した地点を前記移動地点と決定することを特徴とする請求項１又は２に記載の情報処理装置。
【請求項４】
表示装置に、複数のアイテム及びこれらの仕分け先となる仕分け先領域を表示させる表示制御手段と、
前記アイテムのいずれかがドラッグされた場合に、その距離及び当該ドラッグに用いられたポインティングデバイスにおいて被接触部材に加えられた圧力の変化に応じて当該アイテムの前記表示装置の画面内での移動地点を決定する決定手段と、
前記決定手段により決定された移動地点まで当該アイテムを移動させる移動手段と、
を有することを特徴とする情報処理装置。
【請求項５】
前記決定手段は、前記アイテムのドラッグの距離が所定値を超え、かつ前記圧力の変化が所定値を超えている場合に、前記ドラッグの方向と同じ方向で前記ドラッグの距離よりも長い距離の地点を前記移動地点と決定することを特徴とする請求項４に記載の情報処理装置。
【請求項６】
前記決定手段は、前記アイテムのドラッグの距離が所定値以下であるか、又は前記圧力の変化が所定値以下である場合に、前記ドラッグが終了した地点を前記移動地点と決定することを特徴とする請求項４又は５に記載の情報処理装置。
【請求項７】
前記決定手段により決定された移動地点が前記仕分け先領域のいずれかの内側に位置する場合は、当該アイテムを当該仕分け先領域に追加し、前記決定手段により決定された移動地点が前記仕分け先領域のすべてから外れている場合は、当該移動地点を取り囲み、前記仕分け先領域のすべてから離間した仕分け先領域を新たに前記表示装置に表示させ、この新たな仕分け先領域に当該アイテムを追加する追加手段を有することを特徴とする請求項１乃至６のいずれか１項に記載の情報処理装置。
【請求項８】
前記表示装置の画面内の所定の位置にあるアイテムを移動の対象として選択する選択手段と、
前記選択手段により選択されたアイコンが、前記決定手段により決定された移動地点に移動すると、当該アイテムが存在していた位置に他のアイテムを表示して、前記選択手段に次の移動の対象として選択させるアイテム変更手段と、
を有することを特徴とする請求項１乃至７のいずれか１項に記載の情報処理装置。
【請求項９】
前記決定手段により決定された移動地点が前記仕分け先領域のすべてから外れており、かつ前記仕分け先領域のいずれかの外縁から所定の範囲内にある場合は、当該アイテムの移動地点を当該仕分け先領域の内側に変更する変更手段を有することを特徴とする請求項１乃至８のいずれか１項に記載の情報処理装置。
【請求項１０】
表示装置に、複数のアイテム及びこれらの仕分け先となる仕分け先領域を表示させる表示制御ステップと、
前記アイテムのいずれかがドラッグされた場合に、その距離及び時間に応じて当該アイテムの前記表示装置の画面内での移動地点を決定する決定ステップと、
前記決定ステップにおいて決定した移動地点まで当該アイテムを移動させる移動ステップと、
を有することを特徴とする情報処理装置の制御方法。
【請求項１１】
表示装置に、複数のアイテム及びこれらの仕分け先となる仕分け先領域を表示させる表示制御ステップと、
前記アイテムのいずれかがドラッグされた場合に、その距離及び当該ドラッグに用いられたポインティングデバイスにおいて被接触部材に加えられた圧力の変化に応じて当該アイテムの前記表示装置の画面内での移動地点を決定する決定ステップと、
前記決定ステップにおいて決定した移動地点まで当該アイテムを移動させる移動ステップと、
を有することを特徴とする情報処理装置の制御方法。
【請求項１２】
コンピュータに、
表示装置に、複数のアイテム及びこれらの仕分け先となる仕分け先領域を表示させる表示制御ステップと、
前記アイテムのいずれかがドラッグされた場合に、その距離及び時間に応じて当該アイテムの前記表示装置の画面内での移動地点を決定する決定ステップと、
前記決定ステップにおいて決定した移動地点まで当該アイテムを移動させる移動ステップと、
を実行させることを特徴とするプログラム。
【請求項１３】
コンピュータに、
表示装置に、複数のアイテム及びこれらの仕分け先となる仕分け先領域を表示させる表示制御ステップと、
前記アイテムのいずれかがドラッグされた場合に、その距離及び当該ドラッグに用いられたポインティングデバイスにおいて被接触部材に加えられた圧力の変化に応じて当該アイテムの前記表示装置の画面内での移動地点を決定する決定ステップと、
前記決定ステップにおいて決定した移動地点まで当該アイテムを移動させる移動ステップと、
を実行させることを特徴とするプログラム。
【発明の詳細な説明】
【技術分野】
【０００１】
本発明は、アイコン等のアイテムの仕分けに好適な情報処理装置及びその制御方法等に関する。
【背景技術】
【０００２】
近年、ディジタルカメラ及びネットワークの普及に伴い、ディジタルカメラで撮影された画像の閲覧、編集、印刷、ネットワーク上での公開等、画像を用いて実行することができる操作が多様化してきている。そして、それに伴い、ユーザが大量の画像を容易に管理したり、分類したりすることができる画像管理装置に対する需要が高まっている。
【０００３】
例えば、Ｗｉｎｄｏｗｓ（登録商標）に標準装備されているファイル管理ツールであるＥｘｐｌｏｒｅｒでは、画像ファイル等に対応するアイコンをアイテムとして任意の場所に移動させることが可能になっている。この移動のための操作としては、ファイルメニュー又は右クリックメニューに対するメニュー操作、フォルダツリーへのドラッグアンドドロップがある。
【０００４】
また、特許文献１には、タッチパネルにおいて、画面に表示された画像データに対応する対象物がユーザの指によってなぞられると、その対象物が指の移動に伴って移動する表示装置が記載されている。
【０００５】
また、特許文献２には、動作モードが所定のものに設定されている場合に、ポインティングデバイスにより画像表示手段上の点が指示されると、その画像表示手段に表示された画像をそれぞれ指示された点の方向、又は指示された点の反対方向に移動させる画像表示装置が記載されている。
【０００６】
【特許文献１】特開平８−１７１４７３号公報
【特許文献２】特開２００６−４８１３８号公報
【発明の開示】
【発明が解決しようとする課題】
【０００７】
しかしながら、移動先までのドラッグアンドドロップ操作又はこれに類似した操作が必要な従来技術では、アイテムの選択及び移動先の決定を行う必要があり、これらの位置が大きく相違している場合には、ユーザの作業が煩雑なものとなる。特に、多数のアイテムを同一の領域に移動させる際の操作が煩雑である。
【０００８】
また、メニュー操作が必要な従来技術では、比較的多くの知識が必要とされるため、コンピュータに不慣れなユーザが容易に実行することができない。このため、かかる者にとっては作業が煩雑となる。
【０００９】
本発明は、アイテムの仕分けを簡素かつ容易に実行することを可能にする情報処理装置及びその制御方法等を提供することを目的とする。
【課題を解決するための手段】
【００１０】
本願発明者は、前記課題を解決すべく鋭意検討を重ねた結果、以下に示す発明の諸態様に想到した。
【００１１】
本発明に係る第１の情報処理装置は、表示装置に、複数のアイテム及びこれらの仕分け先となる仕分け先領域を表示させる表示制御手段と、前記アイテムのいずれかがドラッグされた場合に、その距離及び時間に応じて当該アイテムの前記表示装置の画面内での移動地点を決定する決定手段と、前記決定手段により決定された移動地点まで当該アイテムを移動させる移動手段と、を有することを特徴とする。
【００１２】
本発明に係る第２の情報処理装置は、表示装置に、複数のアイテム及びこれらの仕分け先となる仕分け先領域を表示させる表示制御手段と、前記アイテムのいずれかがドラッグされた場合に、その距離及び当該ドラッグに用いられたポインティングデバイスにおいて被接触部材に加えられた圧力の変化に応じて当該アイテムの前記表示装置の画面内での移動地点を決定する決定手段と、前記決定手段により決定された移動地点まで当該アイテムを移動させる移動手段と、を有することを特徴とする。
【発明の効果】
【００１３】
本発明によれば、ドラッグの距離とドラッグの時間又は圧力の変化とに応じてアイテムの移動地点が決定されるので、ユーザの立場からすると、アイテムの移動地点を入力せずとも所望の仕分け先領域にアイテムを移動させることができる。また、ドラッグの時間又は圧力の変化を調整すればアイテムの移動地点が決まるので、ユーザがパーソナルコンピュータ等の情報処理装置の操作に慣れていない場合であっても、容易かつ直感的にどのように操作すればよいかをユーザに理解させることができる。
【発明を実施するための最良の形態】
【００１４】
以下、本発明の実施形態について添付の図面を参照して具体的に説明する。
【００１５】
（第１の実施形態）
先ず、本発明の第１の実施形態について説明する。図１は、本発明の第１の実施形態に係る情報処理装置を備えたシステムの構成を示す模式図である。
【００１６】
このシステムでは、コンピュータ（情報処理装置）７０１とディスプレイ７０２とが互いに接続されている。また、コンピュータ７０１には、ポインティングデバイスであるマウス７０３及びキーボード７０４が接続されている。また、コンピュータ７０１には、後述のように、ＵＳＢ（Universal Serial Bus）インタフェースが設けられており、ここにＵＳＢケーブル等を介してディジタルカメラ７０５が接続される。
【００１７】
次に、コンピュータ７０１のハードウェア構成及びソフトウェア構成について説明する。図２は、コンピュータ７０１の構成を示すブロック図である。
【００１８】
コンピュータ７０１のハードウェア８０９には、ＵＳＢインタフェース８１０、キーボードインタフェース８１１、マウスインタフェース８１２、及びビデオインタフェース８１３が含まれている。また、ディスク入出力インタフェース８１４、及びタッチパネルインタフェース８１６も含まれている。また、ハードウェア８０９には、図示しないが、ＣＰＵ、ＲＡＭ及びＲＯＭ等も含まれている。そして、ＲＯＭにコンピュータ７０１のオペレーティングシステム８０４及びアプリケーションソフトウェア８０３等が格納されている。コンピュータ７０１のオペレーティングシステム８０４には、外部インタフェース管理システム８０５、入力デバイス管理システム８０６、描画管理システム８０７及びファイル管理システム８０８が含まれている。また、オペレーティングシステム８０４には、図示しないが、メモリ管理システム等も含まれている。アプリケーションソフトウェア８０３には、画像管理部８０１及び通信モジュール８０２等が含まれている。
【００１９】
ファイル管理システム８０８は、アプリケーションソフトウェア８０３がハードウェア８０９を意識せずにファイルの入出力を実行することができるようにする機能を具えている。ファイル管理システム８０８は、ディスク入出力インタフェース８１４を介して、ファイル及びデータを物理的に格納するハードディスク８１５内のファイルの管理を行う。このファイル管理システム８０８を介して、アプリケーションソフトウェア８０３によるハードディスク８１５内のファイルの入出力が実行される。
【００２０】
描画管理システム８０７は、アプリケーションソフトウェア８０３がハードウェア８０９を意識せずに描画を行うことができるようにする機能を具えている。描画管理システム８０７は、ビデオインタフェース８１３を介して、ディスプレイ７０２への描画の管理を行う。この描画管理システム８０７を介して、アプリケーションソフトウェア８０３によるディスプレイ７０２への描画が実行される。
【００２１】
入力デバイス管理システム８０６は、アプリケーションソフトウェア８０３がハードウェア８０９を意識せずにユーザからの入力を受け取ることができるようにする機能を具えている。入力デバイス管理システム８０６は、マウスインタフェース８１２を介してマウス７０３からの入力を受け取る。また、入力デバイス管理システム８０６は、キーボードインタフェース８１１を介してキーボード７０４からの入力を受け取り、タッチパネルインタフェース８１６を介してタッチパネル８１７からの入力を受け取る。
【００２２】
外部インタフェース管理システム８０５は、ＵＳＢインタフェース８１０にＵＳＢケーブルを介して接続されたディジタルカメラ７０５等のＵＳＢデバイスを管理する。
【００２３】
通信モジュール８０２は、外部インタフェース管理システム８０５を介して、ディジタルカメラ７０５等のＵＳＢデバイスとの間で通信を行う。画像管理部８０１は、通信モジュール８０２を利用してディジタルカメラ７０５との間での画像データ及びアイコンデータ等の授受を行う。
【００２４】
次に、上述のように構成されたシステムを用いた情報処理方法について説明する。この方法は、例えば、以下のフローチャートに示す内容のアプリケーションソフトウェア８０３（プログラム）をハードウェア８０９内のＣＰＵが実行することにより実現される。図３は、第１の実施形態におけるアプリケーションソフトウェア８０３の内容を示すフローチャートである。
【００２５】
先ず、ＣＰＵが、表示制御手段として、タッチパネル８１７に、フォルダに含まれる画像ファイル等の１又は２以上のファイルを示す領域を表示させ、画面内のこれらの領域外の領域を空白領域とする（ステップＳ１００）。また、ＣＰＵは、表示制御手段として、例えば、フォルダに１又は２以上のファイルが含まれている場合には、当該フォルダ内に当該ファイルに対応するアイコン等のアイテムも表示させる。アイコンとしては、カメラ及びメモリーカード等からコンピュータ７０１に取り込まれた仕分け前の画像ファイルに対応したものが挙げられる。なお、領域の位置、大きさ及び色等の情報は、例えばアプリケーションソフトウェア８０３により予め保持されている。また、ユーザがこれらの情報を任意に変更してもよい。また、領域に、アイテムに関連するファイルの印刷及び電子メールへの送信等のユーザによる指示を可能にする表示が付加されていてもよい。
【００２６】
例えば、図８に示すように、タッチパネル８１７の画面１１０１に２つの領域１１０６が表示される。そして、画面１１０１内の領域１１０６外の領域が空白領域１１０７となる。また、一方の領域１１０６に対応するフォルダ内に３つのファイルが含まれている場合には、これらに対応するアイテム１１０４が当該領域１１０６内に表示される。
【００２７】
次いで、ＣＰＵは、領域内に表示されたアイテムのいずれかがユーザ等により選択されたか判別し、選択されていると判別すると、選択されたアイテムを仕分け対象アイテムとし、これを含む領域を仕分け元領域とする（ステップＳ１０１）。例えば、図９に示すように、アイテム１１０４のうちの一つが仕分け対象アイテム１１０３となり、これを含む領域１１０６が仕分け元領域１１０２となる。なお、アイテムの選択は、マウス７０３、キーボード７０４又はタッチパネル８１７を介して行われる。
【００２８】
その後、ＣＰＵは、仕分け対象アイテムの選択時の座標を移動元の座標Ｓｏｕｒｃｅ（ｘｓ，ｙｓ）として取得する（ステップＳ１０２）。
【００２９】
続いて、ＣＰＵは、仕分け対象アイテムのドラッグアンドドロップが行われたか判別する（ステップＳ１０３）。
【００３０】
そして、ＣＰＵは、ドラッグアンドドロップが行われたと判別すると、ドロップ時の仕分け対象アイテムの座標をＲｅｌｅａｓｅ（ｘｒ，ｙｒ）として取得する（ステップＳ１０４）。つまり、ＣＰＵは、仕分け対象アイテムが離された時の座標を取得する。
【００３１】
次いで、ＣＰＵは、仕分け対象アイテムのドラッグ方向Ｖｓ−ｒ及びドラッグ距離Ｄｓ−ｒを取得する（ステップＳ１０５）。この処理の詳細については後述する。
【００３２】
その後、ＣＰＵは、仕分け対象アイテムのドラッグに要した時間Ｔｓ−ｒを取得する（ステップＳ１０６）。この処理の詳細についても後述する。
【００３３】
続いて、ＣＰＵは、ドラッグに要した時間Ｔｓ−ｒが閾値Ｔｔよりも小さいか、即ち所定値未満であるか判別する（ステップＳ１０７）。閾値Ｔｔは、例えば、アプリケーションソフトウェア８０３において予め設定されているが、ユーザが閾値Ｔｔの値を任意に変更してもよい。
【００３４】
そして、ＣＰＵは、ドラッグに要した時間Ｔｓ−ｒが閾値Ｔｔよりも小さいと判別すると、座標Ｒｅｌｅａｓｅ（ｘｒ，ｙｒ）で示される点が仕分け元領域外であるか、即ちドラッグの距離が所定値を超えるか判別する（ステップＳ１０８）。
【００３５】
そして、ＣＰＵは、座標Ｒｅｌｅａｓｅ（ｘｒ，ｙｒ）で示される点が仕分け元領域外であると判別すると、ドラッグに要した時間Ｔｓ−ｒに応じて、仕分け対象アイテムをドロップが行われた位置よりも遠方へ移動させる（ステップＳ１０９）。つまり、仕分け対象アイテムをはじくような処理が行われる。この処理の詳細についても後述する。
【００３６】
一方、ドラッグに要した時間Ｔｓ−ｒが閾値Ｔｔよりも小さくない場合、及び座標Ｒｅｌｅａｓｅ（ｘｒ，ｙｒ）で示される点が仕分け元領域外でない場合には、ＣＰＵは、仕分け対象アイテムをドロップが行われた位置へ移動させる（ステップＳ１１０）。つまり、時間Ｔｓ−ｒが所定値以上の場合、及びドロップの距離が所定値以下の場合には、ＣＰＵは、仕分け対象アイテムをドロップが行われた位置へ移動させる。この処理の詳細についても後述する。
【００３７】
このようにして、仕分け対象アイテムの移動位置が決定される。
【００３８】
次に、ステップＳ１０５の処理について詳述する。図４は、ステップＳ１０５の処理の内容を示すフローチャートである。
【００３９】
ステップＳ１０５の処理において、ＣＰＵは、先ず、座標Ｓｏｕｒｃｅ（ｘｓ，ｙｓ）及び座標Ｒｅｌｅａｓｅ（ｘｒ，ｙｒ）からドラッグ方向Ｖｓ−ｒを算出する（ステップＳ２０１）。つまり、ｘｙ直交座標におけるｘ座標の差及びｙ座標の差からドラッグ方向Ｖｓ−ｒを算出する。
【００４０】
次いで、ＣＰＵは、座標Ｓｏｕｒｃｅ（ｘｓ，ｙｓ）及び座標Ｒｅｌｅａｓｅ（ｘｒ，ｙｒ）からドラッグ距離Ｄｓ−ｒを算出する（ステップＳ２０２）。つまり、ｘｙ直交座標におけるｘ座標の差及びｙ座標の差からドラッグ距離Ｄｓ−ｒを算出する。
【００４１】
次に、ステップＳ１０６の処理について詳述する。図５は、ステップＳ１０６の処理の内容を示すフローチャートである。
【００４２】
ステップＳ１０６の処理において、ＣＰＵは、先ず、ドラッグを開始した時刻Ｔｓを取得する（ステップＳ３０１）。次いで、ＣＰＵは、ドロップが行われた時刻Ｔｒを取得する（ステップＳ３０２）。
【００４３】
その後、ＣＰＵは、時刻Ｔｓと時刻Ｔｒとの差からドラッグに要した時間Ｔｓ−ｒを算出する（ステップＳ３０３）。
【００４４】
次に、ステップＳ１０９の処理について説明する。図６は、ステップＳ１０９の処理の内容を示すフローチャートである。
【００４５】
ステップＳ１０９の処理において、ＣＰＵは、先ず、ドラッグ距離Ｄｓ−ｒとドラッグに要した時間Ｔｓ−ｒの逆数との積を算出することにより、仕分け対象アイテムの移動量を求める。そして、ＣＰＵは、決定手段として、座標Ｓｏｕｒｃｅ（ｘｓ，ｙｓ）からドラッグ方向Ｖｓ−ｒに上記の移動量だけ離間した位置を移動先とし、その座標Ｄｅｓｔｉｎａｔｉｏｎ（ｘｄ，ｙｄ）を算出する（ステップＳ４０１）。
【００４６】
次いで、ＣＰＵは、移動手段として、仕分け対象アイテムを座標Ｄｅｓｔｉｎａｔｉｏｎ（ｘｄ，ｙｄ）で示される位置へ移動させる（ステップＳ４０２）。
【００４７】
次に、ステップＳ１１０の処理について説明する。図７は、ステップＳ１１０の処理の内容を示すフローチャートである。
【００４８】
ステップＳ１１０の処理において、ＣＰＵは、先ず、決定手段として、移動先の座標Ｄｅｓｔｉｎａｔｉｏｎ（ｘｄ，ｙｄ）に座標Ｒｅｌｅａｓｅ（ｘｒ，ｙｒ）を代入する（ステップＳ５０１）。つまり、ドラッグが終了した地点の座標が座標Ｄｅｓｔｉｎａｔｉｏｎ（ｘｄ，ｙｄ）となる。
【００４９】
次いで、ＣＰＵは、移動手段として、仕分け対象アイテムを座標Ｄｅｓｔｉｎａｔｉｏｎ（ｘｄ，ｙｄ）で示される位置へ移動させる（ステップＳ５０２）。
【００５０】
次に、ステップＳ１０９の処理が行われる場合のタッチパネル８１７の画面１１０１の遷移の種々の例について説明する。
【００５１】
先ず、ステップＳ１０１において、図９に示すように、仕分け対象アイテム１１０３及び仕分け元領域１１０２が特定され、仕分け対象アイテム１１０３が空白領域１１０７でドロップされた場合の遷移について説明する。なお、ドラッグに要した時間は閾値Ｔｔよりも小さいものとする。
【００５２】
ＣＰＵは、ステップＳ１０１において仕分け対象アイテム１１０３及び仕分け元領域１１０２を特定すると、ステップＳ１０２において、仕分け対象アイテム１１０３を選択した時のその中心の座標Ｓｏｕｒｃｅ（ｘｓ，ｙｓ）を取得する。
【００５３】
そして、ユーザにより、仕分け対象アイテム１１０３がドラッグされ、図１０に示すように、空白領域１１０７内でドロップされると、ＣＰＵは、ステップＳ１０４において、座標Ｒｅｌｅａｓｅ（ｘｒ，ｙｒ）を取得する。
【００５４】
その後、ＣＰＵは、ステップＳ１０５及びＳ１０６において、ドラッグ方向Ｖｓ−ｒ、
ドラッグ距離Ｄｓ−ｒ及び時間Ｔｓ−ｒを取得する。そして、ＣＰＵは、ステップＳ１０７及びＳ１０８を介して、ステップＳ１０９又はＳ１１０において、仕分け対象アイテム１１０３を移動させる。この例では、ドラッグに要した時間Ｔｓ−ｒが閾値Ｔｔよりも小さく、かつ、仕分け対象アイテム１１０３が仕分け元領域１１０２の外でドロップされるので、ＣＰＵは、ステップＳ１０９の処理を行うこととなる。つまり、ＣＰＵは、図６に示す処理を実行する。このとき、ＣＰＵは、ステップＳ４０１とステップＳ４０２との間に、図１１に示すように、座標Ｓｏｕｒｃｅ（ｘｓ，ｙｓ）及び座標Ｄｅｓｔｉｎａｔｉｏｎ（ｘｄ，ｙｄ）を結ぶ線分を移動軌跡として画面１１０１に表示させることが好ましい。ユーザに、仕分け対象アイテム１１０３の移動位置を事前に把握させることができるからである。
【００５５】
そして、ＣＰＵは、ステップＳ４０２において、図１２に示すように、仕分け対象アイテム１１０３を座標Ｄｅｓｔｉｎａｔｉｏｎ（ｘｄ，ｙｄ）が示す空白領域１１０７内の位置へ移動させる。
【００５６】
なお、ＣＰＵは、仕分け対象アイテム１１０３の移動先が空白領域１１０７である場合、次のような処理を行ってもよい。即ち、ＣＰＵは、ステップＳ４０２の後に、図１３に示すように、移動後の仕分け対象アイテム１１０３を含む新たな領域１３０１を作成し、追加手段として、領域１３０１内に仕分け対象アイテム１１０３を追加してもよい。また、ＣＰＵは、仕分け対象アイテム１１０３の移動先が他の領域１１０６である場合には、追加手段として、その領域１１０６内に仕分け対象アイテム１１０３を追加する。なお、領域１３０１の位置、大きさ及び色等の情報をユーザが任意に変更してもよい。また、領域１３０１に、アイテムに関連するファイルの印刷及び電子メールへの送信等のユーザによる指示を可能にする表示が付加されていてもよい。
【００５７】
次に、ステップＳ１０１において、図９に示すように、仕分け対象アイテム１１０３及び仕分け元領域１１０２が特定され、仕分け対象アイテム１１０３が仕分け元領域１１０２内でドロップされた場合の遷移について説明する。なお、ドラッグに要した時間は閾値Ｔｔよりも小さいものとする。
【００５８】
ＣＰＵは、ステップＳ１０１において仕分け対象アイテム１１０３及び仕分け元領域１１０２を特定すると、ステップＳ１０２において、仕分け対象アイテム１１０３を選択した時のその中心の座標Ｓｏｕｒｃｅ（ｘｓ，ｙｓ）を取得する。
【００５９】
そして、ユーザにより、仕分け対象アイテム１１０３がドラッグされ、図１４に示すように、仕分け元領域１１０２内でドロップされると、ＣＰＵは、ステップＳ１０４において、座標Ｒｅｌｅａｓｅ（ｘｒ，ｙｒ）を取得する。
【００６０】
その後、ＣＰＵは、ステップＳ１０５及びＳ１０６において、ドラッグ方向Ｖｓ−ｒ、
ドラッグ距離Ｄｓ−ｒ及び時間Ｔｓ−ｒを取得する。そして、ＣＰＵは、ステップＳ１０７及びＳ１０８を介して、ステップＳ１０９又はＳ１１０において、仕分け対象アイテム１１０３を移動させる。この例では、ドラッグに要した時間Ｔｓ−ｒが閾値Ｔｔよりも小さく、かつ、仕分け対象アイテム１１０３が仕分け元領域１１０２内でドロップされるので、ＣＰＵは、ステップＳ１１０の処理を行うこととなる。つまり、ＣＰＵは、図７に示す処理を実行する。このとき、ＣＰＵは、ステップＳ５０１とステップＳ５０２との間に、図１５に示すように、座標Ｓｏｕｒｃｅ（ｘｓ，ｙｓ）及び座標Ｄｅｓｔｉｎａｔｉｏｎ（ｘｄ，ｙｄ）を結ぶ線分を移動軌跡としてタッチパネル８１７に表示させることが好ましい。ユーザに、仕分け対象アイテム１１０３の移動位置を事前に把握させることができるからである。なお、この例では、座標Ｄｅｓｔｉｎａｔｉｏｎ（ｘｄ，ｙｄ）は座標Ｒｅｌｅａｓｅ（ｘｒ，ｙｒ）と一致する。
【００６１】
そして、ＣＰＵは、ステップＳ５０２において、図１６に示すように、仕分け対象アイテム１１０３を座標Ｄｅｓｔｉｎａｔｉｏｎ（ｘｄ，ｙｄ）が示す仕分け元領域１１０２内の位置へ移動させる。
【００６２】
なお、ＣＰＵは、これらの表示内容の遷移に伴うハードディスク８１５等における情報の更新も実行する。
【００６３】
このような第１の実施形態では、アイテムを元の領域の外に移動させる場合には、閾値Ｔｔよりも短い時間Ｔｓ−ｒの中で操作すれば、ドロップ位置よりも遠くまでアイテムを移動させることができる。つまり、短い距離のドラッグ操作を行うだけで、遠くまでアイテムを移動させることができる。従って、アイテムの移動に要する操作及び時間を縮小することができ、ユーザの負担が軽減される。また、アイテムの移動量は、時間Ｔｓ−ｒが短いほど大きくなることが明確であるため、コンピュータの操作に不慣れなユーザであっても、容易かつ直感的に操作を行うことができる。このように、第１の実施形態によれば、ユーザの作業をより一層容易なものとすることができる。
【００６４】
（第２の実施形態）
次に、本発明の第２の実施形態について説明する。第２の実施形態では、アプリケーションソフトウェア８０３による処理の内容（情報処理方法）が第１の実施形態と相違している。また、第２の実施形態では、アイテムのドラッグにペンタブレット等の圧力検知型のポインティングデバイスが使用されることを前提としている。図１７は、第２の実施形態におけるアプリケーションソフトウェア８０３の内容を示すフローチャートである。
【００６５】
先ず、ＣＰＵが、タッチパネル８１７の画面に、フォルダに含まれる画像ファイル等のファイルを示す領域を表示し、画面内のこれらの領域外の領域を空白領域とする（ステップＳ６００）。
【００６６】
次いで、ＣＰＵは、領域内に表示されたアイテムのいずれかがユーザ等により選択されたか判別し、選択されていると判別すると、選択されたアイテムを仕分け対象アイテムとし、これを含む領域を仕分け元領域とする（ステップＳ６０１）。
【００６７】
その後、ＣＰＵは、仕分け対象アイテムの選択時の座標を移動元の座標Ｓｏｕｒｃｅ（ｘｓ，ｙｓ）として取得する（ステップＳ６０２）。
【００６８】
続いて、ＣＰＵは、仕分け対象アイテムのドラッグアンドドロップが行われたか判別する（ステップＳ６０３）。
【００６９】
そして、ＣＰＵは、ドラッグアンドドロップが行われたと判別すると、ドロップ時の仕分け対象アイテムの座標をＲｅｌｅａｓｅ（ｘｒ，ｙｒ）として取得する（ステップＳ６０４）。つまり、ＣＰＵは、仕分け対象アイテムが離された時の座標を取得する。
【００７０】
次いで、ＣＰＵは、仕分け対象アイテムのドラッグ方向Ｖｓ−ｒ及びドラッグ距離Ｄｓ−ｒを取得する（ステップＳ６０５）。この処理は、第１の実施形態におけるステップＳ１０５の処理と同様である。
【００７１】
その後、ＣＰＵは、ドラッグが行われている間のポインティングデバイスの筆圧の変化Ｐｓ−ｒを取得する（ステップＳ６０６）。この処理の詳細については後述する。ここで、筆圧とは、タブレット等の被接触部材に加わる圧力をいう。
【００７２】
続いて、ＣＰＵは、筆圧の変化Ｐｓ−ｒが閾値Ｐｔよりも大きいか、即ち所定値を超えているか判別する（ステップＳ６０７）。閾値Ｐｔは、例えば、アプリケーションソフトウェア８０３において予め設定されているが、ユーザが閾値Ｐｔの値を任意に変更してもよい。
【００７３】
そして、ＣＰＵは、筆圧の変化Ｐｓ−ｒが閾値Ｔｔよりも大きいと判別すると、座標Ｒｅｌｅａｓｅ（ｘｒ，ｙｒ）で示される点が仕分け元領域外であるか、即ちドラッグの距離ｇ所定値を超えるか判別する（ステップＳ６０８）。
【００７４】
そして、ＣＰＵは、座標Ｒｅｌｅａｓｅ（ｘｒ，ｙｒ）で示される点が仕分け元領域外であると判別すると、筆圧の変化Ｐｓ-ｒに応じて、仕分け対象アイテムをドロップが行われた位置よりも遠方へ移動させる（ステップＳ６０９）。つまり、仕分け対象アイテムをはじくような処理が行われる。この処理の詳細についても後述する。
【００７５】
一方、筆圧の変化Ｐｓ−ｒが閾値Ｐｔよりも大きくない場合、及び座標Ｒｅｌｅａｓｅ（ｘｒ，ｙｒ）で示される点が仕分け元領域外でない場合には、ＣＰＵは、仕分け対象アイテムをドロップが行われた位置へ移動させる（ステップＳ６１０）。つまり、筆圧の変化Ｐｓ−ｒが所定値以下の場合、及びドロップの距離が所定値以下の場合には、ＣＰＵは、仕分け対象アイテムをドロップが行われた位置へ移動させる。この処理は、第１の実施形態におけるステップＳ６１０の処理と同様である。
【００７６】
このようにして、仕分け対象アイテムの移動位置が決定される。
【００７７】
次に、ステップＳ６０６の処理について詳述する。図１８は、ステップＳ６０６の処理の内容を示すフローチャートである。
【００７８】
ステップＳ６０６の処理において、ＣＰＵは、先ず、ドラッグを開始した時の筆圧Ｐｓを取得する（ステップＳ９０１）。なお、この取得をドラッグ開始時に行っておいてもよい。
【００７９】
次いで、ＣＰＵは、ドロップが行われた時の筆圧Ｐｒを取得する（ステップＳ９０２）。つまり、ＣＰＵは、マウス７０３が離された時の筆圧Ｐｒを取得する。
【００８０】
その後、ＣＰＵは、筆圧Ｐｓと筆圧Ｐｒとの差から筆圧の変化Ｐｓ−ｒを算出する（ステップＳ９０３）。
【００８１】
次に、ステップＳ６０９の処理について説明する。図１９は、ステップＳ６０９の処理の内容を示すフローチャートである。
【００８２】
ステップＳ６０９の処理において、ＣＰＵは、先ず、ドラッグ距離Ｄｓ−ｒと筆圧の変化Ｐｓ−ｒとの積を算出することにより、仕分け対象アイテムの移動量を求める。そして、ＣＰＵは、決定手段として、座標Ｓｏｕｒｃｅ（ｘｓ，ｙｓ）からドラッグ方向Ｖｓ−ｒに上記の移動量だけ離間した位置を移動先とし、その座標Ｄｅｓｔｉｎａｔｉｏｎ（ｘｄ，ｙｄ）を算出する（ステップＳ６０１）。
【００８３】
次いで、ＣＰＵは、移動手段として、仕分け対象アイテムを座標Ｄｅｓｔｉｎａｔｉｏｎ（ｘｄ，ｙｄ）で示される位置へ移動させる（ステップＳ６０２）。
【００８４】
このような第２の実施形態では、アイテムを元の領域の外に移動させる場合には、閾値Ｐｔよりも大きな筆圧の変化Ｐｓ−ｒをもって操作すれば、ドロップ位置よりも遠くまでアイテムを移動させることができる。つまり、短い距離のドラッグ操作を行うだけで、遠くまでアイテムを移動させることができる。従って、アイテムの移動に要する操作及び時間を縮小することができ、ユーザの負担が軽減される。また、アイテムの移動量は、筆圧の変化Ｐｓ−ｒが大きいほど大きくなることが明確であるため、コンピュータの操作に不慣れなユーザであっても、容易かつ直感的に操作を行うことができる。このように、第２の実施形態によっても、ユーザの作業をより一層容易なものとすることができる。
【００８５】
（第３の実施形態）
次に、本発明の第３の実施形態について説明する。第３の実施形態では、仕分け対象アイテムの移動先が、仕分け元領域以外の領域の周囲の所定の範囲内にある場合に、仕分け対象アイテムを空白領域ではなく当該領域内に移動させる。ここでは、第１の実施形態と比較しながら説明する。
【００８６】
本実施形態では、例えば、図２０に示すように、ステップＳ１０１において仕分け対象アイテム１１０３及び仕分け元領域１１０２が特定された時に、ＣＰＵは、領域１１０６の外縁から所定の距離にある範囲を引き込み範囲２００１とする。この引き込み範囲２００１は、ステップＳ６０１又はＳ７０１において座標Ｄｅｓｔｉｎａｔｉｏｎ（ｘｄ，ｙｄ）がその範囲内にある場合に、その内側の領域１１０６内の座標に座標Ｄｅｓｔｉｎａｔｉｏｎ（ｘｄ，ｙｄ）が変更される範囲である。また、引き込み範囲２００１の大きさは、ユーザが任意に設定できるようにしておく。なお、ここでは、図８等に示す領域１１０６の他に、もう一つの領域１１０６が存在することとする。
【００８７】
このような状態で仕分け対象アイテム１１０３のドラッグアンドドロップが行われると、第１の実施形態と同様の処理が行われるが、図２１に示すように、座標Ｄｅｓｔｉｎａｔｉｏｎ（ｘｄ，ｙｄ）が引き込み範囲２００１にある場合のステップＳ６０１又はＳ７０１における処理が相違する。即ち、ＣＰＵは、変更手段として、図２２に示すように、座標Ｄｅｓｔｉｎａｔｉｏｎ（ｘｄ，ｙｄ）を、領域１１０６内の座標Ｄｅｓｔｉｎａｔｉｏｎ（ｘｄ１，ｙｄ１）に変更する。そして、ＣＰＵは、仕分け対象アイテム１１０３の移動先を空白領域１１０７から領域１１０６に引き込む。
【００８８】
他の処理は第１の実施形態と同様にして行われる。そして、ＣＰＵは、最終的、図２３に示すように、仕分け対象アイテム１１０３が領域１１０６内に移動させる。
【００８９】
このような第３の実施形態によれば、ユーザがある領域１１０６を仕分け先として狙ったにも拘わらず当該領域１１０６から移動先が若干ずれた場合でも、所望の領域１１０６内に仕分け対象アイテム１１０３を移動させることが可能となる。また、引き込み範囲２００１の大きさをユーザが設定できるようにしておけば、領域１３０１（図１３）が作成される場合であっても、その数を制限することができる。つまり、ユーザが、領域１１０６及び１３０１の数が適切であって、これ以上増やす必要がないと考えている場合には、引き込み範囲２００１を大きくすれば、新たに領域１３０１が作成される頻度が小さくなる。逆に、ユーザが領域１３０１の数の制限は不要と考えている場合には、引き込み範囲２００１の大きさを０と設定すればよい。
【００９０】
なお、第３の実施形態と同様の処理を第２の実施形態に組み合わせることも可能である。また、複数の引き込み範囲２００１が重なり合っている場合には、例えば、図２４に示すように、それらの交点を結ぶ線分２００２をこれらの境界とすればよい。
【００９１】
なお、これらの実施形態では、仕分け対象アイテムの選択がユーザにより行われることを前提としているが、コンピュータ７０１が決定してもよい。例えば、図２５に示すように、画面１１０１の所定の領域にフォルダ内のファイルに該当するアイテム１６０４を規則的な配列で表示するようにしておき、この領域内の特定の位置１６０１にあるものをコンピュータ７０１が仕分け対象アイテムと決定してもよい。
【００９２】
ここで、コンピュータ７０１により仕分け対象アイテムが特定され、仕分け対象アイテム１６０３が空白領域１１０７でドロップされた場合の画面１１０１の遷移について説明する。なお、ドラッグに要した時間は閾値Ｔｔよりも小さいものとする。
【００９３】
先ず、ＣＰＵは、選択手段として、ステップＳ１０１に代えて、ユーザの入力を待たずに、図２６に示すように、「Ａ」のアイテム１６０４を自ら仕分け対象アイテム１６０３として特定する。次いで、ステップＳ１０２において、仕分け対象アイテム１６０３の中心の座標Ｓｏｕｒｃｅ（ｘｓ，ｙｓ）を取得する。
【００９４】
そして、ユーザにより、仕分け対象アイテム１６０３がドラッグされ、図２７に示すように、空白領域１１０７内でドロップされると、ＣＰＵは、ステップＳ１０４において、座標Ｒｅｌｅａｓｅ（ｘｒ，ｙｒ）を取得する。なお、この例では、仕分け対象アイテム１６０３以外のアイテム１６０４はドラッグ不可とされる。
【００９５】
その後、ＣＰＵは、ステップＳ１０５及びＳ１０６において、ドラッグ方向Ｖｓ−ｒ、
ドラッグ距離Ｄｓ−ｒ及び時間Ｔｓ−ｒを取得する。そして、ＣＰＵは、ステップＳ１０７を介して、ステップＳ１０９又はＳ１１０において、仕分け対象アイテム１１０３を移動させる。なお、この例では、仕分け元領域１１０２が存在しないため、ステップＳ１０８の処理は省略される。そして、この例では、ドラッグに要した時間Ｔｓ−ｒが閾値Ｔｔよりも小さいため、ＣＰＵは、ステップＳ１０９の処理を行うこととなる。つまり、ＣＰＵは、図６に示す処理を実行する。このとき、ＣＰＵは、ステップＳ４０１とステップＳ４０２との間に、図２８に示すように、座標Ｓｏｕｒｃｅ（ｘｓ，ｙｓ）及び座標Ｄｅｓｔｉｎａｔｉｏｎ（ｘｄ，ｙｄ）を結ぶ線分を移動軌跡として画面１１０１に表示させることが好ましい。ユーザに、仕分け対象アイテム１６０３の移動位置を事前に把握させることができるからである。
【００９６】
そして、ＣＰＵは、ステップＳ４０２において、図２９に示すように、仕分け対象アイテム１６０３を座標Ｄｅｓｔｉｎａｔｉｏｎ（ｘｄ，ｙｄ）が示す空白領域１１０７内の位置へ移動させる。
【００９７】
また、ＣＰＵは、アイテム変更手段として、仕分け対象アイテム１６０３の移動に合わせて、図２９及び図３０に示すように、他のアイテム１６０４を、「Ａ」のアイテム１６０４が位置していた方向に順次移動させる。この結果、「Ｂ」のアイテム１６０４が特定の位置１６０１に移動してくるので、「Ｂ」のアイテム１６０４が次の仕分け対象アイテム１６０３となる。
【００９８】
なお、ＣＰＵは、仕分け対象アイテム１６０３の移動先が空白領域１１０７である場合、次のような処理を行ってもよい。即ち、ＣＰＵは、ステップＳ４０２の後に、図３１に示すように、移動後の仕分け対象アイテム１６０３を含む新たな領域１８０１を作成し、追加手段として、領域１８０１内に仕分け対象アイテム１６０３を追加してもよい。また、ＣＰＵは、仕分け対象アイテム１６０３の移動先が他の領域１１０６である場合には、追加手段として、その領域１１０６内に仕分け対象アイテム１６０３を追加する。なお、領域１８０１の位置、大きさ及び色等の情報をユーザが任意に変更してもよい。また、領域１８０１に、アイテムに関連するファイルの印刷及び電子メールへの送信等のユーザによる指示を可能にする表示が付加されていてもよい。
【００９９】
この例によれば、アイテム１６０４の場所が所定の領域に限定されているので、より効率的にアイテム１６０４を分類することが可能になる。
【０１００】
なお、アイテム１６０４が、図３２に示すように、トランプのように積み重なった状態で表示され、最も上のアイテム１６０４が仕分け対象アイテム１６０３として特定されてもよい。また、アイテムの配列は、例えば、ファイル名、ファイルの作成日、ファイルのサイズ等の順番でソートされて表示されてもよい。例えば、カメラ又はメモリーカードからコンピュータ７０１に取り込まれた順番にアイテム１６０４が表示されていてもよい。また、アイテム１６０３が表示される位置、アイテム間の間隔等をユーザが任意に変更できるようにしてもよい。
【０１０１】
また、表示装置はタッチパネルである必要はない。また、座標の取得及び決定にあたり、座標をアイテムの中心座標を用いる必要はなく、例えば、アイテムが矩形の場合には、４隅のうちの一つ座標を用いてもよい。
【０１０２】
なお、これらの実施形態は、本発明の実現手段としての一例であり、本発明が適用される装置の構成や各種条件によって適宜修正又は変更することが可能である。
【０１０３】
また、本発明の実施形態は、例えば区切り画像を生成するプログラムをコンピュータが実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記の印刷処理用のプログラムも本発明の実施形態として適用することができる。上記のプログラム、記録媒体、伝送媒体及びプログラムプロダクトは、本発明の範疇に含まれる。
【図面の簡単な説明】
【０１０４】
【図１】本発明の第１の実施形態に係る情報処理装置を備えたシステムの構成を示す模式図である。
【図２】コンピュータ７０１を備えたシステムの内部構成を示すブロック図である。
【図３】本発明の第１の実施形態におけるアプリケーションソフトウェア８０３の内容を示すフローチャートである。
【図４】ステップＳ１０５の処理の内容を示すフローチャートである。
【図５】ステップＳ１０６の処理の内容を示すフローチャートである。
【図６】ステップＳ１０９の処理の内容を示すフローチャートである。
【図７】ステップＳ１１０の処理の内容を示すフローチャートである。
【図８】本発明の第１の実施形態における初期画面の一例を示す図である。
【図９】本発明の第１の実施形態において一つのアイテムが選択された状態を示す図である。
【図１０】本発明の第１の実施形態において一つのアイテムがドロップされた状態を示す図である。
【図１１】本発明の第１の実施形態において移動軌跡が表示された状態を示す図である。
【図１２】本発明の第１の実施形態におけるアイテムの移動結果を示す図である。
【図１３】本発明の第１の実施形態において新たな領域が作成された状態を示す図である。
【図１４】本発明の第１の実施形態において一つのアイテムがドロップされた状態の他の例を示す図である。
【図１５】本発明の第１の実施形態において移動軌跡が表示された状態の他の例を示す図である。
【図１６】本発明の第１の実施形態におけるアイテムの移動結果の他の例を示す図である。
【図１７】本発明の第２の実施形態におけるアプリケーションソフトウェア８０３の内容を示すフローチャートである。
【図１８】ステップＳ６０６の処理の内容を示すフローチャートである。
【図１９】ステップＳ６０９の処理の内容を示すフローチャートである。
【図２０】本発明の第３の実施形態における初期画面の一例を示す図である。
【図２１】本発明の第３の実施形態における移動地点と引き込み領域との関係を示す図である。
【図２２】本発明の第３の実施形態における引き込み処理の一例を示す図である。
【図２３】本発明の第３の実施形態におけるアイテムの移動結果を示す図である。
【図２４】本発明の第３の実施形態における複数の引き込み範囲の関係を示す図である。
【図２５】仕分け元領域が存在しない場合の初期画面の一例を示す図である。
【図２６】仕分け元領域が存在しない場合において一つのアイテムが選択された状態を示す図である。
【図２７】仕分け元領域が存在しない場合において一つのアイテムがドロップされた状態の他の例を示す図である。
【図２８】仕分け元領域が存在しない場合において移動軌跡が表示された状態の他の例を示す図である。
【図２９】仕分け元領域が存在しない場合におけるアイテムの移動結果を示す図である。
【図３０】仕分け元領域が存在しない場合におけるアイテムの変更を示す図である。
【図３１】仕分け元領域が存在しない場合において新たな領域が作成された状態を示す図である。
【図３２】仕分け元領域が存在しない場合の初期画面の他の例を示す図である。
【符号の説明】
【０１０５】
７０１：コンピュータ
７０２：ディスプレイ
７０３：マウス
７０４：キーボード
７０５：ディジタルカメラ
８０１：画像管理部
８０２：通信モジュール
８０３：アプリケーションソフトウェア
８０４：オペレーティングシステム
８０５：外部インタフェース管理システム
８０６：入力デバイス管理システム
８０７：描画管理システム
８０８：ファイル管理システム
８０９：ハードウェア
８１０：ＵＳＢインタフェース
８１１：キーボードインタフェース
８１２：マウスインタフェース
８１３：ビデオインタフェース
８１４：ディスク入出力インタフェース
８１５：ハードディスク
８１６：タッチパネルインタフェース
８１７：タッチパネル
【図１】
2009151638.tif 000003
【図２】
2009151638.tif 000004
【図３】
2009151638.tif 000005
【図４】
2009151638.tif 000006
【図５】
2009151638.tif 000007
【図６】
2009151638.tif 000008
【図７】
2009151638.tif 000009
【図８】
2009151638.tif 000010
【図９】
2009151638.tif 000011
【図１０】
2009151638.tif 000012
【図１１】
2009151638.tif 000013
【図１２】
2009151638.tif 000014
【図１３】
2009151638.tif 000015
【図１４】
2009151638.tif 000016
【図１５】
2009151638.tif 000017
【図１６】
2009151638.tif 000018
【図１７】
2009151638.tif 000019
【図１８】
2009151638.tif 000020
【図１９】
2009151638.tif 000021
【図２０】
2009151638.tif 000022
【図２１】
2009151638.tif 000023
【図２２】
2009151638.tif 000024
【図２３】
2009151638.tif 000025
【図２４】
2009151638.tif 000026
【図２５】
2009151638.tif 000027
【図２６】
2009151638.tif 000028
【図２７】
2009151638.tif 000029
【図２８】
2009151638.tif 000030
【図２９】
2009151638.tif 000031
【図３０】
2009151638.tif 000032
【図３１】
2009151638.tif 000033
【図３２】
2009151638.tif 000034